(57)【要約】【課題】ステータス信号伝達回路において、制御構成の簡素化を図りながら、可及的にステータス信号伝達用として用いるフォトカップラを長寿命化する。【解決手段】機器の動作状態が正常か否かを示すステータスベース信号によって駆動されるステータス信号伝達用フォトカップラ２を経て、制御装置ＣＯに入力される前記機器のステータス信号として伝達するステータス信号伝達回路において、前記制御装置ＣＯにてパルス状に発光駆動される制御信号伝達用フォトカップラ１が備えられ、前記制御信号伝達用フォトカップラ１が発光動作側に駆動されているときに前記ステータス信号伝達用フォトカップラ２を発光動作側に駆動するように接続され、前記ステータスベース信号が前記正常状態を示し且つ前記制御信号伝達用フォトカップラ１が発光動作側に駆動されているときに、前記ステータス信号伝達用フォトカップラ２が発光動作するように構成されている。【選択図】        図１
2004199458.tif 000002
【特許請求の範囲】
【請求項１】
機器の動作状態が正常か否かを示すステータスベース信号によって駆動されるステータス信号伝達用フォトカップラを経て、制御装置に入力される前記機器のステータス信号として伝達し、且つ、正常状態を示すステータス信号を前記ステータス信号伝達用フォトカップラの発光動作側に対応させているステータス信号伝達回路であって、
前記制御装置にてパルス状に発光駆動される制御信号伝達用フォトカップラが備えられ、
前記制御信号伝達用フォトカップラにおける出力側回路は、前記制御信号伝達用フォトカップラが発光動作側に駆動されているときに前記ステータス信号伝達用フォトカップラを発光動作側に駆動するように直接的に又は間接的に前記ステータス信号伝達用フォトカップラにおける入力側回路と接続され、
前記ステータスベース信号が前記正常状態を示し且つ前記制御信号伝達用フォトカップラが発光動作側に駆動されているときに、前記ステータス信号伝達用フォトカップラが発光動作するように構成されているステータス信号伝達回路。
【請求項２】
機器の動作状態が正常か否かを示すステータスベース信号によって駆動されるステータス信号伝達用フォトカップラを経て、制御装置に入力される前記機器のステータス信号として伝達し、且つ、正常状態を示すステータス信号を前記ステータス信号伝達用フォトカップラの発光動作側に対応させているステータス信号伝達回路であって、
前記ステータスベース信号が、一定時間内におけるパルス信号の存否にて形成され、
前記ステータスベース信号にて開閉するスイッチング装置が、前記ステータス信号伝達用フォトカップラにおける入力側回路と直列接続されると共に、
前記ステータス信号伝達用フォトカップラにおける出力側回路と並列に平滑化用コンデンサが接続されて構成されているステータス信号伝達回路。
【発明の詳細な説明】
【０００１】
【発明の属する技術分野】
本発明は、機器の動作状態が正常か否かを示すステータスベース信号によって駆動されるステータス信号伝達用フォトカップラを経て、制御装置に入力される前記機器のステータス信号として伝達し、且つ、正常状態を示すステータス信号を前記ステータス信号伝達用フォトカップラの発光動作側に対応させているステータス信号伝達回路に関する。
【０００２】
【従来の技術】
かかるステータス信号伝達回路は、監視対象の機器の動作状態が正常か正常でないかのステータス信号を制御装置に報知するための回路であり、前記ステータス信号の基になるステータスベース信号の送信元と受信側の制御装置とでグラウンドレベルを別個のものとするためにフォトカップラを利用している。
このフォトカップラは、入力側回路に発光ダイオードが備えられ、出力側回路に、前記発光ダイオードの出射光を受光すると、光の強さに応じて導通するフォトトランジスタ等の受光素子を有するものであり、通信やデジタル値の伝達には、通常は受光素子側が完全にＯＦＦする状態と完全にＯＮする状態で使用される。
従って、フォトカップラの寿命は前記発光ダイオードの積算発光時間に依存し、例えば、フォトカップラの使用用途が異なるが下記特許文献１及び特許文献２にも記載のように、フォトカップラの長寿命化のためには、前記発光ダイオードの発光時間を短くすれば良いことが一般的に知られている。
ところが、フォトカップラを経て伝えられる情報が機器の動作状態が正常か否かを示すステータス信号であるときは、制御装置側でステータス信号を必要としたときには、確実にそのステータス信号が確定している必要があり、又、フェイルセーフの面からも機器が正常であるときにフォトカップラが発光駆動している必要がある。
【０００３】
このような背景下で、ステータス信号伝達用として用いるフォトカップラの発光動作時間を短くしようとすると、図６に示すように、フォトカップラ１０１における入力側回路を構成する発光ダイオード１０１ａの通電状態をトランジスタ１０２にて制御するようにステータス信号伝達回路を構成すると共に、図７の上段のタイミングチャートに示すように、前記ステータスベース信号を機器からの一定時間内におけるパルス信号の存否で表現することが考えられる。この場合、制御装置ＣＯには図７の下段のタイミングチャートに示す信号が入力される。
【０００４】
【特許文献１】
特開昭６３−１２０６７５号公報
【特許文献２】
特開平６−１３８９８９号公報
【０００５】
【発明が解決しようとする課題】
しかしながら、図６の回路構成において図７に示すような動作をさせようとすると、ステータスベース信号の送信側と制御装置側との間で前記一定時間の長さの設定やノイズによる誤検出の取り決め、対策等が必要となり、制御プログラム等の構成が複雑化してしまう。
本発明は、かかる実情に鑑みてなされたものであって、その目的は、制御構成の簡素化を図りながら、可及的にステータス信号伝達用として用いるフォトカップラを長寿命化する点にある。
【０００６】
【課題を解決するための手段】
上記請求項１記載の構成を備えることにより、機器の動作状態が正常か否かを示すステータスベース信号によって駆動されるステータス信号伝達用フォトカップラを経て、制御装置に入力される前記機器のステータス信号として伝達し、且つ、正常状態を示すステータス信号を前記ステータス信号伝達用フォトカップラの発光動作側に対応させているステータス信号伝達回路において、前記制御装置にてパルス状に発光駆動される制御信号伝達用フォトカップラが備えられ、前記制御信号伝達用フォトカップラにおける出力側回路は、前記制御信号伝達用フォトカップラが発光動作側に駆動されているときに前記ステータス信号伝達用フォトカップラを発光動作側に駆動するように直接的に又は間接的に前記ステータス信号伝達用フォトカップラにおける入力側回路と接続され、前記ステータスベース信号が前記正常状態を示し且つ前記制御信号伝達用フォトカップラが発光動作側に駆動されているときに、前記ステータス信号伝達用フォトカップラが発光動作するように構成されている。
【０００７】
すなわち、前記制御信号伝達用フォトカップラを備えて、前記ステータスベース信号の送信側とそのステータスベース信号により生成される前記ステータス信号を受け取る前記制御装置側とのグラウンドレベルの独立性を確保すると共に、正常状態を示す前記ステータスベース信号が常時加わっていても、前記制御装置が前記制御信号伝達用フォトカップラを発光駆動しない限り、ステータス信号伝達用フォトカップラにおける入力側回路に備えられている発光ダイオードが発光することはなく、いわば待機状態にある。
この待機状態で、前記制御装置側から制御信号伝達用フォトカップラにおける入力側回路へ前記ステータス信号を読み出すためのパルス信号が入力されると、そのパルス信号によって制御信号伝達用フォトカップラにおける入力側回路に備えられている発光ダイオードが発光動作する。
【０００８】
従って、このとき前記ステータスベース信号が正常状態を示していれば、ステータス信号伝達用フォトカップラにおける入力側回路に備えられた発光ダイオードが発光動作し、前記制御装置はステータス信号伝達用フォトカップラにおける出力側回路から前記機器が正常状態であることを示すステータス信号を得ることができる。一方、前記ステータスベース信号が正常でない状態を示していれば、ステータス信号伝達用フォトカップラにおける入力側回路に備えられた発光ダイオードは発光動作せず、制御装置は前記機器が正常でない旨のステータス信号を得ることができる。
つまり、上記請求項１記載の回路は、ステータス信号伝達用フォトカップラをパルス状に発光駆動させてステータス信号伝達用フォトカップラの長寿命化を図りながらも、前記制御装置が任意のタイミングで前記ステータス信号を読み出そうとしたときに、そのステータス信号が適正に出力されていることを保証するように回路を構成しているのである。
もって、ステータス信号を監視するための制御構成の簡素化を図りながら、可及的にステータス信号伝達用として用いるフォトカップラの長寿命化を図ることが可能となった。
しかも、前記ステータス信号の送信元の機器は、正常か正常でないかによって単純に夫々の状態を示す信号を出力するだけで良いので、ステータス信号の送信元の回路構成を簡素化することができる。
【０００９】
又、上記請求項２記載の構成を備えることにより、機器の動作状態が正常か否かを示すステータスベース信号によって駆動されるステータス信号伝達用フォトカップラを経て、制御装置に入力される前記機器のステータス信号として伝達し、且つ、正常状態を示すステータス信号を前記ステータス信号伝達用フォトカップラの発光動作側に対応させているステータス信号伝達回路において、前記ステータスベース信号が、一定時間内におけるパルス信号の存否にて形成され、前記ステータスベース信号にて開閉するスイッチング装置が、前記ステータス信号伝達用フォトカップラにおける入力側回路と直列接続されると共に、前記ステータス信号伝達用フォトカップラにおける出力側回路と並列に平滑化用コンデンサが接続されて構成されている。
【００１０】
すなわち、前記機器の動作状態が正常か否かを一定時間内でのパルスの存否にて表現し、そのように表現されたステータスベース信号でスイッチング装置を開閉駆動してステータス信号伝達用フォトカップラにおける入力側回路に備えられた発光ダイオードを駆動することで、その発光ダイオードはパルス状に発光駆動される。
従って、ステータス信号伝達用フォトカップラにおける出力側回路の通電状態もパルス的に変化するのであるが、ステータス信号伝達用フォトカップラにおける出力側回路には平滑化用コンデンサが並列に接続されているので、出力側回路の出力が平滑化される。
平滑化用コンデンサの後段の回路のしきい値レベルを、ステータス信号伝達用フォトカップラにおける入力側回路に一定時間内にパルス信号が加わったとき（すなわち正常状態）の平滑化後の信号レベルと、前記パルス信号が加わっていないとき（すなわち非正常状態）の信号レベルとの間に設定することで、制御装置がどのようなタイミングで前記ステータス信号の読み取りを実行しても、的確に前記ステータス信号を取得できる。
【００１１】
つまり、上記請求項２記載の回路は、ステータス信号伝達用フォトカップラをパルス状に発光駆動させてステータス信号伝達用フォトカップラの長寿命化を図りながらも、前記制御装置が任意のタイミングで前記ステータス信号を読み出そうとしたときに、そのステータス信号が適正に出力されていることを保証するように回路を構成しているのである。
もって、ステータス信号を監視するための制御構成の簡素化を図りながら、可及的にステータス信号伝達用として用いるフォトカップラの長寿命化を図ることが可能となった。
【００１２】
【発明の実施の形態】
以下、本発明のステータス信号伝達回路の実施の形態を図面に基づいて説明する。
本発明のステータス信号伝達回路ＳＣは、監視対象の機器の動作状態が正常か否かを示すステータスベース信号によって、制御装置ＣＯに入力するためのステータス信号を生成する回路であり、前記ステータスベース信号によってステータス信号伝達用フォトカップラを駆動し、そのステータス信号伝達用フォトカップラを経て制御装置ＣＯに前記機器のステータス信号として入力される。
又、本発明のステータス信号伝達回路ＳＣには、ステータス信号伝達用フォトカップラをパルス状に発光駆動してステータス信号伝達用フォトカップラの長寿命化を図る回路機能と、制御装置ＣＯが任意のタイミングで前記ステータス信号を読み出そうとしたときに、そのステータス信号が適正に出力されていることを保証する回路機能とが設けられている。
ステータス信号伝達回路ＳＣでは、正常状態を示す前記ステータスベース信号をステータス信号伝達用フォトカップラ２の発光動作側に対応させている。
【００１３】
＜第１実施形態＞
本第１実施形態では、ステータス信号伝達回路ＳＣの上記２つの回路機能を一体化して構成した場合を例示し、図１に示すように、監視対象の機器である畜電池１０に取付けられた電池管理装置１１が前記ステータスベース信号の送信元であり、ステータス信号伝達回路ＳＣは、畜電池１０を搭載した装置の制御装置ＣＯに対して、前記ステータスベース信号に基づいて生成した前記ステータス信号を伝達する。
【００１４】
本第１実施形態のステータス信号伝達回路ＳＣは、前記制御装置ＣＯにてパルス状に発光駆動される制御信号伝達用フォトカップラ１が備えられ、前記制御信号伝達用フォトカップラ１における出力側回路（フォトトランジスタ１ｂ）は、前記制御信号伝達用フォトカップラ１が発光動作側に駆動されているときに前記ステータス信号伝達用フォトカップラ２を発光動作側に駆動するように前記ステータス信号伝達用フォトカップラ２における入力側回路（発光ダイオード２ａ）と直接的に接続され、前記ステータス信号伝達用フォトカップラ２が、前記ステータスベース信号が前記正常状態を示し且つ前記制御信号伝達用フォトカップラ１が発光動作側に駆動されているときに発光動作するように構成されている。
【００１５】
より具体的には、ステータス信号伝達回路ＳＣは、電池管理装置１１から出力される前記ステータスベース信号にて開閉駆動される送信側スイッチング装置ＳＳであるトランジスタ３と、制御装置ＣＯのステータス信号読み出しタイミングを示すパルス信号にて開閉駆動される受信側スイッチング装置ＲＳであるトランジスタ４とが備えられ、制御信号伝達用フォトカップラ１における出力側回路（フォトトランジスタ１ｂ）と、ステータス信号伝達用フォトカップラ２における入力側回路（発光ダイオード２ａ）と、送信側スイッチング装置ＳＳとが直列に接続され、且つ、制御信号伝達用フォトカップラ１における入力側回路（発光ダイオード１ａ）と、受信側スイッチング装置ＲＳとが直列に接続されて構成され、制御装置ＣＯは、ステータス信号伝達用フォトカップラ２における出力側回路（フォトトランジスタ２ｂ）からステータス信号入力ラインＳＬを経て前記ステータス信号を取得する。
ステータス信号伝達回路ＳＣには、更に、電流制限用あるいはプルアップ用の電気抵抗５が備えられている。
尚、図１において、ステータス信号の送信側すなわち電池管理装置１１側の直流電源電圧との接続箇所を白抜きの丸印で示し、グラウンドとの接続箇所を白抜きの下向き三角印で示すと共に、ステータス信号の受信側すなわち制御装置ＣＯ側の直流電源電圧との接続箇所を黒塗りの丸印で示し、グラウンドとの接続箇所を黒塗りの下向き三角印で示すことで、ステータス信号の送信側と受信側との間で、電源電圧及びグラウンドが別個独立であることを示している。
【００１６】
次に、図１のステータス信号伝達回路ＳＣの動作を、図２に示すタイミングチャートに基づいて説明する。
図２の上段の「ステータス信号要求信号」は、制御装置ＣＯがステータス信号を要求するパルス信号であり、同図では一定周期の立上がりパルスを示しているが一定周期である必要はなく、任意のタイミングで送出でき、そのパルス幅も任意に設定できる。
図２の中段の「ステータスベース信号」は、電池管理装置１１が送出する前記ステータスベース信号を示しており、本第１実施形態では、電池管理装置１１は畜電池１０の出力電圧が設定電圧以下にあるとき正常状態として「Ｈ」レベルのステータスベース信号を出力し、畜電池１０の出力電圧が前記設定電圧を超えたときに非正常状態として「Ｌ」レベルのステータスベース信号を出力する場合を例示する。
【００１７】
ステータスベース信号が正常状態（「Ｈ」レベル）のときはトランジスタ３を「ＯＮ」側に駆動し、換言するとステータス信号伝達用フォトカップラ２の発光ダイオード２ａを発光動作側に駆動するものであるが、制御信号伝達用フォトカップラ１のフォトトランジスタ１ｂが非導通状態であるときは、実際にはステータス信号伝達用フォトカップラ２の発光ダイオード２ａは発光しない。
この状態で、トランジスタ４のベースに図２の上段のパルス信号が加わったときは、「Ｈ」レベルとなっている期間だけトランジスタ４のエミッタ−コレクタ間が導通状態となり、制御信号伝達用フォトカップラ１の発光ダイオード１ａが発光動作する。
これによって、制御信号伝達用フォトカップラ１のフォトトランジスタ１ｂが導通状態となり、ステータス信号伝達用フォトカップラ２の発光ダイオード２ａが発光動作し、ステータス信号伝達用フォトカップラ２のフォトトランジスタ２ｂのコレクタ端子電圧は図２の下段に示す波形となって、その信号がステータス信号として制御装置ＣＯに取り込まれる。
【００１８】
一方、畜電池１０の出力電圧が前記設定電圧を超えて上昇し、電池管理装置１１が出力するステータスベース信号が非正常状態（「Ｌ」レベル）に移行したときは、トランジスタ３のコレクタ−エミッタ間が非導通状態となるので、制御装置ＣＯからステータス信号を要求するパルス信号が出力されても、ステータス信号伝達用フォトカップラ２の発光ダイオード２ａは発光動作しない。
従って、制御装置ＣＯに対するステータス信号入力は「Ｈ」レベルを維持し、これによって制御装置ＣＯは、電池管理装置１１が出力ステータス信号が非正常状態となっていることを検知できる。
以上のように動作することで、制御信号伝達用フォトカップラ１及びステータス信号伝達用フォトカップラ２の何れにおいてもパルス状に発光駆動されることになり、尚且つ、制御装置ＣＯが、ステータス信号を任意のタイミングで読み出すときに、前記ステータスベース信号に基づいて生成される前記ステータス信号を、制御装置ＣＯのステータス信号入力ラインＳＬ上に出力させることになる。
【００１９】
＜第２実施形態＞
次に本発明の第２実施形態について説明する。
本第２実施形態は、基本的な考え方は上記第１実施形態と共通であるが、図３に示すように複数の（具体的には３つの）畜電池２１，２２，２３が存在している点が上記第１実施形態と異なる。これに伴って、畜電池２１，２２，２３の夫々に備えられた電池管理装置２４，２５，２６から出力されるステータスベース信号に基づいて生成した前記ステータス信号を制御装置ＣＯへ送るために、複数の（具体的には３つの）ステータス信号伝達用フォトカップラ２７，２８，２９を備えている。
【００２０】
これらのステータス信号伝達用フォトカップラ２７，２８，２９は、上手側のステータス信号伝達用フォトカップラの出力側回路（すなわちフォトトランジスタ）と、下手側のステータス信号伝達用フォトカップラの入力側回路（すなわち発光ダイオード）と、下手側の電池管理装置から出力されるステータス信号にて開閉するスイッチング装置としてのトランジスタとを直列に接続する状態で、複数の（具体的には３つの）ステータス信号伝達用フォトカップラ２７，２８，２９を階段状に接続している。
【００２１】
本第２実施形態のステータス信号伝達回路ＳＣも、上記第１実施形態と同様に、前記制御装置ＣＯにてパルス状に発光駆動される制御信号伝達用フォトカップラ１が備えられ、前記制御信号伝達用フォトカップラ１における出力側回路（フォトトランジスタ１ｂ）は、前記制御信号伝達用フォトカップラ１が発光動作側に駆動されているときに前記ステータス信号伝達用フォトカップラ２７を発光動作側に駆動するように直接的に前記ステータス信号伝達用フォトカップラ２７における入力側回路（すなわち発光ダイオード）と接続され、前記ステータス信号伝達用フォトカップラ２７が、前記ステータスベース信号が前記正常状態を示し且つ前記制御信号伝達用フォトカップラ１が発光動作側に駆動されているときに発光動作するように構成されている。
【００２２】
より具体的には、ステータス信号伝達回路ＳＣは、電池管理装置２４から出力される前記ステータスベース信号にて開閉駆動される送信側スイッチング装置ＳＳであるトランジスタ３０と、制御装置ＣＯのステータス信号読み出しタイミングを示すパルス信号にて開閉駆動される受信側スイッチング装置ＲＳであるトランジスタ４とが備えられ、制御信号伝達用フォトカップラ１における出力側回路（すなわちフォトトランジスタ１ｂ）と、最も上流側のステータス信号伝達用フォトカップラ２７における入力側回路（すなわち発光ダイオード）と、送信側スイッチング装置ＳＳとして機能するトランジスタ３０とが直列に接続され、且つ、制御信号伝達用フォトカップラ１における入力側回路（すなわち発光ダイオード１ａ）と、受信側スイッチング装置ＲＳとしてのトランジスタ４とが直列に接続されている。制御装置ＣＯは、最も下手側のステータス信号伝達用フォトカップラ２９における出力側回路（すなわちフォトトランジスタ）から前記ステータス信号を取り出す。尚、図３においては、制御装置ＣＯ側及び各電池管理装置２４，２５，２６側夫々において、電源電圧及びグラウンドが別個独立であることを示すために、直流電源電圧との接続箇所の表示を、白抜きの丸印，二重丸印，白抜きの四角印及び黒塗りの丸印で示すと共に、グラウンドとの接続箇所を、白抜きの下向き三角印，二重三角印，通常のグラウンドマーク及び黒塗りの下向き三角印で示している。
【００２３】
上記第１実施形態と同様に、電池管理装置２４，２５，２６夫々は、前記ステータスベース信号として、畜電池２１，２２，２３の出力電圧が設定電圧以下にあるとき正常状態として「Ｈ」レベルのステータスベース信号を出力し、畜電池２１，２２，２３の出力電圧が前記設定電圧を超えたときに非正常状態として「Ｌ」レベルのステータスベース信号を出力する場合を例示する。
上記構成のステータス信号伝達回路ＳＣの動作は、上記第１実施形態の動作を説明する図２と類似しており、制御装置ＣＯからステータス信号を要求するパルス信号が出力されたとき、全ての電池管理装置２４，２５，２６が出力するステータスベース信号が正常状態（「Ｈ」レベル）であるときに、ステータス信号入力ラインＳＬを経て制御装置ＣＯに「Ｌ」信号が入力され、電池管理装置２４，２５，２６のうちの何れか１つでも非正常状態（「Ｌ」レベル）のステータスベース信号を出力しているときは、制御装置ＣＯに入力される信号は「Ｈ」レベルを維持し、何れかのステータスベース信号が非正常状態であることを検知できる。
【００２４】
＜第３実施形態＞
次に、本発明の第３実施形態を説明する。
本第３実施形態においても、上記第１実施形態と同様に、監視対象の機器である畜電池１０に取付けられた電池管理装置１１がステータスベース信号の送信元であり、ステータス信号伝達回路ＳＣは、畜電池１０を搭載した装置の制御装置ＣＯに対して、前記ステータスベース信号に基づいて生成した前記ステータス信号を伝達する。
但し、本第３実施形態では、ステータス信号伝達用フォトカップラ４１をパルス状に発光駆動してステータス信号伝達用フォトカップラ４１の長寿命化を図る回路機能と、制御装置ＣＯが任意のタイミングで前記ステータス信号を読み出そうとしたときに、そのステータス信号が適正に出力されていることを保証する回路機能とが分離した形で備えられている。
【００２５】
本第３実施形態のステータス信号伝達回路ＳＣは、図４に示すように、ステータス信号伝達用フォトカップラ４１と、電池管理装置１１が出力するステータスベース信号にて開閉するスイッチング装置ＳＤとしてのトランジスタ４２と、平滑化用コンデンサ４３と、シュミットトリガ形式のインバータ４４とが備えられ、更に、プルアップ用あるいは電流制限用の電気抵抗４５，４６が備えられて構成されている。
前記スイッチング装置ＳＤと、ステータス信号伝達用フォトカップラ４１における入力側回路（すなわち発光ダイオード４１ａ）とは直列接続され、ステータス信号伝達用フォトカップラ４１における出力側回路（すなわちフォトトランジスタ４１ｂ）と並列に平滑化用コンデンサ４３が接続されている。
尚、図４においても、ステータス信号の送信側すなわち電池管理装置１１側の直流電源電圧との接続箇所を白抜きの丸印で示し、グラウンドとの接続箇所を白抜きの下向き三角印で示すと共に、ステータス信号の受信側すなわち制御装置ＣＯの直流電源電圧との接続箇所を黒塗りの丸印で示し、グラウンドとの接続箇所を黒塗りの下向き三角印で示すことで、ステータス信号の送信側と受信側との間で、電源電圧及びグラウンドが別個独立であることを示している。
【００２６】
次に、上記構成のステータス信号伝達回路ＳＣの動作を、図５のタイミングチャートに基づいて説明する。
先ず、本第３実施形態においては、ステータスベース信号の送信元である電池管理装置１１は、一定時間内においてのパルス信号の存否によって機器（ここでは畜電池１０）の動作状態が正常か否かを出力しており、図５の上段に示すように、畜電池１０の出力電圧が設定電圧以下となっており正常状態であるときは一定時間内でパルス信号を出力し、畜電池１０の出力電圧が設定電圧を超えて上昇して非正常状態となったときは一定時間以上パルス信号の出力を停止して、「Ｌ」レベルを維持する。
【００２７】
トランジスタ４２のベースに上記一定時間内にパルス電圧が印加されると、ステータス信号伝達用フォトカップラ４１における入力側回路に備えられた発光ダイオード４１ａはそのパルス電圧とパルス幅に応じてパルス状に発光し、その発光の間だけステータス信号伝達用フォトカップラ４１における出力側回路のフォトトランジスタ４１ｂが導通状態となる。
フォトトランジスタ４１ｂのコレクタ−エミッタ間と並列に接続されている平滑化用コンデンサ４３は、フォトトランジスタ４１ｂが非導通状態にあるときに電気抵抗４６を通じて充電され、又、フォトトランジスタ４１ｂが導通状態にあるときにフォトトランジスタ４１ｂを通じて放電される。
【００２８】
従って、電池管理装置１１から正常状態を示す一定時間内におけるパルス信号がステータスベース信号として出力されているときは、インバータ４４の入力信号は、図５の中段に示すように波状の電圧波形となり、電池管理装置１１から出力されるパルス信号が停止し非正常状態を示すステータスベース信号に移行すると、インバータ４４の入力信号が「Ｈ」レベルに上昇する。
【００２９】
インバータ４４の「Ｈ」レベル識別用しきい値を図５の中段における「Ｖｔｈ」で示す電圧に設定しておくことで、インバータ４４の出力信号すなわち制御装置ＣＯのステータス信号の読み取り入力は、図５の下段に示すように、電池管理装置１１から出力されるパルス信号が停止してインバータ４４の入力信号が「Ｖｔｈ」まで上昇したときに、正常状態を示す「Ｈ」レベルから非正常状態を示す「Ｌ」レベルに変化する。つまり、電池管理装置１１はパルス信号でステータス信号伝達用フォトカップラ４１の発光ダイオード４１ａを駆動しているにも拘わらず、制御装置ＣＯは正常状態か非正常状態かを定常信号として取得することができ、これによって、制御装置ＣＯが、前記監視対象の機器（畜電池１０）のステータス信号を任意のタイミングで読み出すときに、ステータス信号伝達用フォトカップラ４１に入力される前記ステータスベース信号に基づいて生成されたステータス信号を、制御装置ＣＯのステータス信号入力ラインＳＬ上に出力させることになる。
尚、本第３実施形態では、インバータ４４の前記しきい値「Ｖｔｈ」の設定マージンを大きくするために、シュミットトリガ形式のものを採用しているが、電気抵抗４６及び平滑化用コンデンサ４３の値を適切な値に設定すれば、必ずしもシュミットトリガ形式とする必要はなく、又、インバータ４４を備えない構成としても良い。
【００３０】
＜その他の実施形態＞
以下、本発明のその他の実施形態を列記する。
（１）上記第１実施形態及び第２実施形態では、ステータス信号伝達回路ＳＣは、前記制御装置ＣＯにてパルス状に発光駆動される制御信号伝達用フォトカップラ１が備えられ、前記制御信号伝達用フォトカップラ１における出力側回路（フォトトランジスタ１ｂ）は、前記制御信号伝達用フォトカップラ１が発光動作側に駆動されているときに前記ステータス信号伝達用フォトカップラ２，２７を発光動作側に駆動するように直接的に前記ステータス信号伝達用フォトカップラ２，２７における入力側回路（発光ダイオード）と接続され、前記ステータス信号伝達用フォトカップラ２，２７が、前記ステータスベース信号が前記正常状態を示し且つ前記制御信号伝達用フォトカップラ１が発光動作側に駆動されているときに発光動作するように構成されている場合を例示しているが、制御信号伝達用フォトカップラ１における出力側回路は、必ずしも、ステータス信号伝達用フォトカップラ２，２７における入力側回路と直接的に接続されている必要はなく、両者が間接的に接続されていても良い。
【００３１】
すなわち、ステータス信号伝達回路ＳＣは、前記制御装置ＣＯにてパルス状に発光駆動される制御信号伝達用フォトカップラ１が備えられ、前記制御信号伝達用フォトカップラ１における出力側回路（フォトトランジスタ１ｂ）は、前記制御信号伝達用フォトカップラ１が発光動作側に駆動されているときに前記ステータス信号伝達用フォトカップラ２，２７を発光動作側に駆動するように間接的に前記ステータス信号伝達用フォトカップラ２，２７における入力側回路（発光ダイオード）と接続され、前記ステータス信号伝達用フォトカップラ２，２７が、前記ステータスベース信号が前記正常状態を示し且つ前記制御信号伝達用フォトカップラ１が発光動作側に駆動されているときに発光動作するように構成しても良い。
【００３２】
上記のような構成とする場合の具体的な回路構成としては、例えば、前記制御信号伝達用フォトカップラ１における出力側回路の信号から、制御信号伝達用フォトカップラ１が発光動作側に駆動されているときに、「Ｈ」レベルの信号を出力し、且つ、制御信号伝達用フォトカップラ１が非発光動作側に駆動されているときに、「Ｌ」レベルの信号を出力する論理回路（例えばインバータ回路）を備え、その論理回路の出力と前記ステータスベース信号とをＡＮＤ回路にて論理積をとり、そのＡＮＤ回路の出力で、前記トランジスタ３，３０のベースを駆動するように構成すれば良い。このＡＮＤ回路の出力は、前記ステータスベース信号が前記正常状態（Ｈレベル）を示し且つ前記制御信号伝達用フォトカップラ１が発光動作側に駆動されているときにのみ「Ｈ」レベル出力となり、ステータス信号伝達用フォトカップラ２，２７を発光動作させる。
【００３３】
（２）上記第１〜第３実施形態では、ステータスベース信号の送信元として、畜電池に取付けた電池管理装置を例示しているが、種々の機器における動作の監視等のステータス信号伝達回路として本発明を適用できる。
又、上記各実施形態では、監視対象の機器と前記ステータスベース信号の送信元とが別の装置となっている場合を例示しているが、監視対象の機器自体から前記ステータスベース信号を出力する場合にも本発明を適用できる。
（３）上記第１〜第３実施形態では、ステータス信号伝達用フォトカップラ等のフォトカップラとして、フォトカップラにおける出力側回路にフォトトランジスタを備える形式のものを例示しているが、その他種々の形式のフォトカップラについても本発明を適用できる。
（４）上記第１〜第３実施形態では、送信側スイッチング装置ＳＳ等のスイッチング装置としてトランジスタを例示しているが、例えば、ＦＥＴやリレー等の種々のスイッチング装置を用いることができる。
【００３４】
【発明の効果】
上記請求項１記載の構成によれば、前記制御信号伝達用フォトカップラを備えることで、ステータス信号伝達用フォトカップラをパルス状に発光駆動させてステータス信号伝達用フォトカップラの長寿命化を図りながらも、前記制御装置が任意のタイミングで前記ステータス信号を読み出そうとしたときに、そのステータス信号が適正に出力されていることを保証するように回路を構成しているのである。
もって、ステータス信号を監視するための制御構成の簡素化を図りながら、可及的にステータス信号伝達用として用いるフォトカップラの長寿命化を図ることが可能となった。
しかも、前記ステータス信号の送信元の機器は、正常か正常でないかによって単純に夫々の状態を示す信号を出力するだけで良いので、ステータス信号の送信元の回路構成を簡素化することができる。
【００３５】
又、上記請求項２記載の構成によれば、前記スイッチング装置や前記平滑化用コンデンサを備えることで、ステータス信号伝達用フォトカップラをパルス状に発光駆動させてステータス信号伝達用フォトカップラの長寿命化を図りながらも、前記制御装置が任意のタイミングで前記ステータス信号を読み出そうとしたときに、そのステータス信号が適正に出力されていることを保証するように回路を構成しているのである。
もって、ステータス信号を監視するための制御構成の簡素化を図りながら、可及的にステータス信号伝達用として用いるフォトカップラの長寿命化を図ることが可能となった。
【図面の簡単な説明】
【図１】本発明の第１実施形態にかかるステータス信号伝達回路の回路構成図
【図２】本発明の第１実施形態にかかるタイミングチャート
【図３】本発明の第２実施形態にかかるステータス信号伝達回路の回路構成図
【図４】本発明の第３実施形態にかかるステータス信号伝達回路の回路構成図
【図５】本発明の第３実施形態にかかるタイミングチャート
【図６】ステータス信号伝達回路の回路構成例を示す図
【図７】タイミングチャートの説明図
【符号の説明】
１                          制御信号伝達用フォトカップラ
２，２７，２８，２９，４１  ステータス信号伝達用フォトカップラ
４３                        平滑化用コンデンサ
ＣＯ                        制御装置
ＳＤ                        スイッチング装置
【図１】
2004199458.tif 000003
【図２】
2004199458.tif 000004
【図３】
2004199458.tif 000005
【図４】
2004199458.tif 000006
【図５】
2004199458.tif 000007
【図６】
2004199458.tif 000008
【図７】
2004199458.tif 000009